(57)【特許請求の範囲】
【請求項１】
天井面に埋め込まれた本体ケーシングの下面に、中央に吸込口を設け同吸込口の周囲四辺に風向変更板を備えた吹出口を設けたパネルが取り付けられ、前記本体ケーシング内に形成された前記吸込口と前記吹出口とを結ぶ空気通路に、前記吸込口に対向して上下方向の駆動軸を有したモータとファンからなる送風機と同送風機を囲うように配置された熱交換器とを設けてなる天井埋込形空気調和機において、
前記パネルを、前記本体ケーシングの下部に配設され前記四辺の風向変更板を回動自在に軸支した四角い枠状のパネル枠と、同パネル枠の下方を覆い中央に吸込開口孔を複数形成し、周囲四辺に長方形状に切り欠いた吹出口を形成した中央パネルと、同中央パネルの外周を四角い枠状に囲う化粧枠とから構成し、
前記中央パネルの背面中央にフィルタを配設する一方、前記中央パネルの一側に一対のＬ字状リンクの一端の第一軸部を回動自在に軸支し、同一対のＬ字状リンクの他端の第二軸部を各々前記パネル枠の一側に形成した一対の係止爪に着脱可能に係止するとともに、前記第二軸部に、前記一対の係止爪の間より側方に突設する押圧凸部を設けてなることを特徴とする天井埋込形空気調和機。
【請求項２】
前記中央パネルの四つの角部の背面に、前記中央パネル背面に形成したネジ止めボスに螺着して前記四つの角部を補強する角部補強金具を設け、同角部補強金具の一端に形成したＵ字状の軸支部と前記中央パネル背面に形成したリブとにより挟持するように前記Ｌ字状リンクの第一軸部を回動自在に軸支してなることを特徴とする請求項１記載の天井埋込形空気調和機。
【請求項３】
前記Ｌ字状リンクを、左右のＬ字状部と同左右のＬ字状部の両端同士を連結する前記第一軸部と前記押圧凸部を備えた第二軸部とにより構成し、鋼線を折曲して形成してなることを特徴とする請求項１記載の天井埋込形空気調和機。
【請求項４】
前記押圧凸部の先端側に、直線状の指引掛部を設けてなることを特徴とする請求項３記載の天井埋込形空気調和機。
【請求項５】
前記Ｌ字状リンクを形成する鋼線の両端を、前記第一軸部の略中央にて突き合せてなることを特徴とする請求項３記載の天井埋込形空気調和機。
【発明の詳細な説明】
【０００１】
【発明の属する技術分野】
本発明は、天井埋込形空気調和機に係わり、より詳細には、パネルの開閉装置の構成に関する。
【０００２】
【従来の技術】
従来の天井埋込形空気調和機は、図１０と図１１にて示すように、天井面に埋め込まれた本体ケーシング１の下面に、中央に吸込口１５、同吸込口１５の周囲四辺に吹出口１１を備えた化粧パネル５０を設け、前記吸込口１５の下方にフィルタ１９を備えた開閉自在な中央パネル５１が設けられ、前記中央パネル５１の一側に一体に形成した回動軸５２を前記化粧パネル５０の開口部５３の一側に形成した係止部５４に回動自在に係止した構成であった。
【０００３】
【発明が解決しようとする課題】
しかしながら、上記構成では、清掃等のために中央パネルを取り外すのは容易であるが、中央パネルを開閉する回動軸は、一軸の回りに回動するという方式であり、中央パネルを回動軸より外側の方まで広げることができず、中央パネルを化粧パネルの中央部分のみを覆う形式以外の構成とすることができないという問題点があった。
本発明においては、上記の問題点に鑑み、中央パネルを回動軸を両端に備えたＬ字状リンクにより軸支することにより、中央パネルにより下方全体を覆う構成とすることができ、かつ清掃等のために中央パネルを取り外し易い天井埋込形空気調和機を提供することを目的とする。
【０００４】
【課題を解決するための手段】
本発明は、上記課題を解決するため、天井面に埋め込まれた本体ケーシングの下面に、中央に吸込口を設け同吸込口の周囲四辺に風向変更板を備えた吹出口を設けたパネルが取り付けられ、前記本体ケーシング内に形成された前記吸込口と前記吹出口とを結ぶ空気通路に、前記吸込口に対向して上下方向の駆動軸を有したモータとファンからなる送風機と同送風機を囲うように配置された熱交換器とを設けてなる天井埋込形空気調和機において、
前記パネルを、前記本体ケーシングの下部に配設され前記四辺の風向変更板を回動自在に軸支した四角い枠状のパネル枠と、同パネル枠の下方を覆い中央に吸込開口孔を複数形成し、周囲四辺に長方形状に切り欠いた吹出口を形成した中央パネルと、同中央パネルの外周を四角い枠状に囲う化粧枠とから構成し、
前記中央パネルの背面中央にフィルタを配設する一方、前記中央パネルの一側に一対のＬ字状リンクの一端の第一軸部を回動自在に軸支し、同一対のＬ字状リンクの他端の第二軸部を各々前記パネル枠の一側に形成した一対の係止爪に着脱可能に係止するとともに、前記第二軸部に、前記一対の係止爪の間より側方に突設する押圧凸部を設けた構成となっている。
【０００５】
また、前記中央パネルの四つの角部の背面に、前記中央パネル背面に形成したネジ止めボスに螺着して前記四つの角部を補強する角部補強金具を設け、同角部補強金具の一端に形成したＵ字状の軸支部と前記中央パネル背面に形成したリブとにより挟持するように前記Ｌ字状リンクの第一軸部を回動自在に軸支した構成となっている。
【０００６】
また、前記Ｌ字状リンクを、左右のＬ字状部と同左右のＬ字状部の両端同士を連結する前記第一軸部と前記押圧凸部を備えた第二軸部とにより構成し、鋼線を折曲して形成した構成となっている。
【０００７】
また、前記押圧凸部の先端側に、直線状の指引掛部を設けた構成となっている。
【０００８】
更に、前記Ｌ字状リンクを形成する鋼線の両端を、前記第一軸部の略中央にて突き合せた構成となっている。
【０００９】
【発明の実施の形態】
図１乃至図９にて示す本発明の実施例により、本発明の実施の形態について説明する。
先ず、図１の断面図、図２と図３の分解斜視図および図４（Ａ）の斜視図にて示す天井埋込形空気調和機の全体構成について説明する。
１は天井面２に埋め込まれ内側に発泡スチロール等の断熱材により形成された断熱壁３を備えたＳＥＣＣ（電気亜鉛メッキ鋼鈑）等の鋼鈑をプレス成形して形成された天板４、側板５により構成された本体ケーシング、６は同本体ケーシング１の中央に設け上下方向の駆動軸を有したモータ７とファン８とからなる送風機、９は同送風機６の周囲に設けられた熱交換器、１０は同熱交換器９の下方に設け周囲四辺に吹出口１１を備え発泡スチロール等の断熱材により形成された露受皿、１２は同露受皿１０の中央に配設し一側に下方に開口した電装部品収納部１３と同電装部品収納部１３を覆う収納部カバー１４とを備え中央に吸込口１５を形成したベルマウスである。
【００１０】
１６は前記露受皿１０の周囲を囲うように設け前記四辺の吹出口１１に設けた風向変更板１７を回動自在に軸支し、同風向変更板１７を連結し駆動する風向変更装置１８を四つの角部に装着したＡＢＳ（アクリルニトリルブタジエンスチレン）等の合成樹脂により形成されたパネル枠、１９は前記吸込口１５から前記吹出口１１の両側および内側にかけて覆い中央に吸込開口孔２０を複数形成しフィルタ２１を備えた開閉自在で着脱可能なＡＢＳ（アクリルニトリルブタジエンスチレン）等の合成樹脂により形成された中央パネル、２２は前記吹出口１１の外周から前記中央パネル１９の四つの角部２３の外周にかけて覆うＡＢＳ（アクリルニトリルブタジエンスチレン）等の合成樹脂により形成された化粧枠であり、前記パネル枠１６と前記中央パネル１９と前記化粧枠２２とによりパネルが構成されている。
【００１１】
次に、図４の斜視図、図５の要部斜視図、図６の要部断面図および図７の要部断面図にて示す本発明の詳細構成について説明する。
図５に示すように、２４は一端を固着ネジ２５によりネジ止めボス２６に螺着し、他端を前記中央パネル１９の角部２３の外周近傍のネジ止めボス２７に前記固着ネジ２５により螺着したＳＵＳ（ステンレス鋼）等の鋼鈑により形成された角部補強金具であり、前記中央パネル１９一側の一対の該角部補強金具２４の外周端に形成したＵ字状の軸支部２８と前記中央パネル１９背面に形成したリブ２９とにより挟持するように一対のＬ字状リンク３０の一端の第一軸部３１を軸支し、前記中央パネル１９他側の一対の前記角部補強金具２４に、開閉方向に対し直角方向に回動し、係止孔３２に係止する係止フック３３を備えた係止装置３４を装着している。
【００１２】
図４、図６および図７に示すように、３５と３６とは前記Ｌ字状リンク３０の他端の軸部３７を着脱可能に係止する前記パネル枠１６の一側に形成した少なくとも左右一対の係止爪とその係止凸部である。
前記Ｌ字状リンク３０の他端の第二軸部３７を前記係止爪３５から外すことにより、前記中央パネル１９を取り外すことができるため、前記中央パネル１９を楽な姿勢で清掃や洗浄することができる。
【００１３】
図４と図６とに示すように、前記中央パネル１９を開いたときには前記係止爪３５に軸支された前記第二軸部３７を支軸として下方にぶら下がるため、前記中央パネル１９は前記化粧枠２２より大きく離れ、かつ図８に示すように、前記中央パネル１９が閉じたときには前記Ｌ字状リンク３０の作用により、前記中央パネル１９と前記化粧枠２２との隙間ｄを小さく設定できるとともに、前記中央パネル１９を前記係止爪３５の位置より外側に大きく形成することができる。
【００１４】
次に、図６の要部断面図、図７の要部断面図および図８のＬ字状リンクの斜視図にて示す本発明のＬ字状リンクの第一の実施例について詳細に説明する。
３８は前記Ｌ字状リンク３０の左右のＬ字状部、３９は前記第二軸部３７に少なくとも左右一対の前記係止爪３５の間より側方に突設した押圧凸部である。
前記Ｌ字状リンク３０は、前記左右のＬ字状部３８と同左右のＬ字状部３８の両端同士を連結する前記第一軸部３１と前記押圧凸部３９を備えた第二軸部３７とを鋼線を折曲して形成し、前記鋼線の両端４０を前記第一軸部３１の略中央にて突き合せた構成としている。
【００１５】
図６に示すように、前記中央パネル１９を開放した後、前記Ｌ字状リンク３０の押圧凸部３９を指等により図の矢印Ｆ方向に押圧することにより、前記第二軸部３７が前記係止凸部３６を乗り越えて前記係止爪３５から容易に外すことができ、前記中央パネル１９を容易に取り外すことができる。
【００１６】
前記Ｌ字状リンク３０は、前記左右のＬ字状部３８と同左右のＬ字状部３８の両端同士を連結する前記第一軸部３１と前記押圧凸部３９を備えた第二軸部３７とを鋼線を折曲して形成することができるため、部品点数が一種類で済み安価な構成とすることができる。
【００１７】
前記鋼線の両端４０を前記第一軸部３１の略中央にて突き合せた構成とすることにより、前記角部補強金具２４のＵ字状の軸支部２８により前記中央パネル１９の一側に固定して軸支される部分に構造的に弱くなり易い前記鋼線の両端４０を配置することができるため、前記中央パネル１９が開閉するとき等に前記Ｌ字状リンク３０を変形し難くすることができる。
【００１８】
次に、図９のＬ字状リンクの斜視図にて示す本発明のＬ字状リンクの第二の実施例について詳細に説明する。
４１は前記第二軸部３７より突設した押圧凸部３９の先端側に形成した直線状の指引掛部である。
前記第二軸部３７を前記係止爪３５から外すとき、前記直線状の指引掛部４１に指等を引掛けることができるため、前記押圧凸部３９を押圧し易くなり、前記第二軸部３７を前記係止爪３５から外し易くすることができる。
【００１９】
【発明の効果】
以上説明したように、本発明によれば、中央パネルを回動軸を両端に備えたＬ字状リンクにより軸支することにより、中央パネルにより下方全体を覆う構成とすることができ、かつ清掃等のために中央パネルを取り外し易い天井埋込形空気調和機となる。
【図面の簡単な説明】
【図１】天井埋込形空気調和機の全体構成を示す断面図である。
【図２】天井埋込形空気調和機の全体構成の上方部分を示す分解斜視図である。
【図３】天井埋込形空気調和機の全体構成の下方部分を示す分解斜視図である。
【図４】天井埋込形空気調和機の斜視図で、（Ａ）は全体構成を示し、（Ｂ）は本発明の第一の実施例の要部である。
【図５】天井埋込形空気調和機の中央パネルを示す分解斜視図である。
【図６】本発明の天井埋込形空気調和機の中央パネルを開き、取り外した状態を示す要部断面図である。
【図７】本発明の天井埋込形空気調和機の中央パネルを閉じた状態を示す要部断面図である。
【図８】本発明の天井埋込形空気調和機のＬ字状リンクの第一の実施例を示す斜視図である。
【図９】本発明の天井埋込形空気調和機のＬ字状リンクの第二の実施例を示す斜視図である。
【図１０】従来の天井埋込形空気調和機の中央パネルを開いた状態を示す斜視図である。
【図１１】従来の天井埋込形空気調和機の要部斜視図である。
【符号の説明】
１  本体ケーシング
２  天井面
６  送風機
７  モータ
８  ファン
９  熱交換器
１１  吹出口
１５  吸込口
１６  パネル枠
１７  風向変更板
１９  中央パネル
２１  フィルタ
２２  化粧枠
２３  四つの角部
２４  角部補強金具
２６  ネジ止めボス
２８  Ｕ字状の軸支部
２９  リブ
３０  Ｌ字状リンク
３１  第一軸部
３５  係止爪
３７  第二軸部
３８  Ｌ字状部
３９  押圧凸部
４０  鋼線の両端
４１  指引掛部
【図１】
0004281183.tif 000002
【図２】
0004281183.tif 000003
【図３】
0004281183.tif 000004
【図４】
0004281183.tif 000005
【図５】
0004281183.tif 000006
【図６】
0004281183.tif 000007
【図７】
0004281183.tif 000008
【図８】
0004281183.tif 000009
【図９】
0004281183.tif 000010
【図１０】
0004281183.tif 000011
【図１１】
0004281183.tif 000012